(57)【要約】【課題】抽出された全楽曲に関する包括的な特徴をユーザが容易に把握することができる「集計結果表示装置および集計結果表示方法」を提供する。【解決手段】抽出条件により抽出された楽曲について集計した集計結果（楽曲の数／アルバムの数／アーティストの数）を表示部に表示させるようにして、ユーザが、楽曲を抽出したときに、抽出された全楽曲に関する包括的な特徴を容易に把握できるようにする。また、集計結果をアイコンによって表示するようにして、ユーザが、抽出された全楽曲に関する包括的な特徴をより容易に（一見して）把握できるようにする。【選択図】        図６
2008304633.tif 000002
【特許請求の範囲】
【請求項１】
楽曲が有する属性情報を構成する複数の項目のうち一以上の上記項目の値の一致を条件とする抽出条件により抽出された１または２以上の楽曲について集計する集計部と、
上記集計部による集計の結果である集計結果を表示部に表示させる表示制御部とを備えたことを特徴とする集計結果表示装置。
【請求項２】
上記集計部は、上記抽出条件により抽出された１または２以上の上記楽曲の数を集計し、
上記表示制御部は、上記集計部により集計された１または２以上の上記楽曲の数を上記集計結果として上記表示部に表示させることを特徴とする請求項１に記載の集計結果表示装置。
【請求項３】
上記集計部は、上記抽出条件により抽出された１または２以上の上記楽曲の数を集計し、
上記表示制御部は、楽曲である旨を示す図柄と上記集計部により集計された上記楽曲の数を示す文字とから構成される楽曲数アイコンを上記集計結果として上記表示部に表示させることを特徴とする請求項１に記載の集計結果表示装置。
【請求項４】
上記表示制御部は、上記表示部に表示された上記楽曲数アイコンが押下されたときは、上記抽出条件により抽出された１または２以上の上記楽曲の一覧を表示部に表示させることを特徴とする請求項３に記載の集計結果表示装置。
【請求項５】
上記集計部は、上記抽出条件により抽出された１または２以上の上記楽曲が有する属性情報を構成する複数の項目のうち所定の項目の値を参照することにより、上記抽出条件により抽出された１または２以上の上記楽曲について集計することを特徴とする請求項１に記載の集計結果表示装置。
【請求項６】
上記集計部は、上記所定の項目の値としてアルバム名の項目の値を参照することにより、上記抽出条件により抽出された１または２以上の上記楽曲の収録元となったアルバムの数を集計し、
上記表示制御部は、上記集計部により集計された上記アルバムの数を上記集計結果として上記表示部に表示させることを特徴とする請求項５に記載の集計結果表示装置。
【請求項７】
上記集計部は、上記所定の項目の値としてアルバム名の項目の値を参照することにより、上記抽出条件により抽出された１または２以上の上記楽曲の収録元となったアルバムの数を集計し、
上記表示制御部は、アルバムである旨を示す図柄と上記集計部により集計された上記アルバムの数を示す文字とから構成されるアルバム数アイコンを上記集計結果として上記表示部に表示させることを特徴とする請求項５に記載の集計結果表示装置。
【請求項８】
上記表示制御部は、上記表示部に表示された上記アルバム数アイコンが押下されたときは、上記抽出条件により抽出された１または２以上の上記楽曲の収録元となったアルバムの一覧を表示部に表示させることを特徴とする請求項７に記載の集計結果表示装置。
【請求項９】
上記集計部は、上記所定の項目の値としてアーティスト名の項目の値を参照することにより、上記抽出条件により抽出された１または２以上の上記楽曲のアーティストの数を集計し、
上記表示制御部は、上記集計部により集計された上記アーティストの数を上記集計結果として上記表示部に表示させることを特徴とする請求項５に記載の集計結果表示装置。
【請求項１０】
上記集計部は、上記所定の項目の値としてアーティスト名の項目の値を参照することにより、上記抽出条件により抽出された１または２以上の上記楽曲のアーティストの数を集計し、
上記表示制御部は、アーティストである旨を示す図柄と上記集計部により集計された上記アーティストの数を示す文字とから構成されるアーティスト数アイコンを上記集計結果として上記表示部に表示させることを特徴とする請求項５に記載の集計結果表示装置。
【請求項１１】
上記表示制御部は、上記表示部に表示された上記アーティスト数アイコンが押下されたときは、上記抽出条件により抽出された１または２以上の上記楽曲のアーティストの一覧を表示部に表示させることを特徴とする請求項１０に記載の集計結果表示装置。
【請求項１２】
楽曲が有する属性情報を構成する複数の項目のうち一以上の上記項目の値の一致を条件とする抽出条件により抽出された１または２以上の楽曲について集計する集計ステップと、
上記集計ステップによる集計の結果である集計結果を表示部に表示させる表示制御ステップとを備えたことを特徴とする集計結果表示方法。
【発明の詳細な説明】
【技術分野】
【０００１】
本発明は、集計結果表示装置および集計結果表示方法に関し、特に、楽曲を再生するときに楽曲に関する情報を表示する機能を備えた装置に好適なものである。
【背景技術】
【０００２】
現在、搭載する大容量ハードディスク、または、外部ストレージに保存された楽曲を再生するオーディオシステムが存在する（iPod（登録商標）等のポータブルオーディオもこれらに該当する）。また、幾つかのオーディオシステムは、再生する楽曲を特定の条件により抽出する機能を備えている。なお、楽曲を抽出し、抽出した楽曲のリスト（プレイリスト）を生成する情報記憶再生装置が開示されている（例えば、特許文献１参照）。
【特許文献１】特開２００４−５８６２号公報
【０００３】
しかしながら、上記のオーディオシステムにおいて、ユーザは、複数の楽曲が抽出された場合に、その抽出の条件を知っている場合であっても、抽出された全楽曲に関する包括的な特徴を容易に把握することができないという問題がある。すなわち、ユーザは、抽出された楽曲の一つひとつを確認しなければ、抽出された全楽曲に関する包括的な特徴を把握することができない。
【発明の開示】
【発明が解決しようとする課題】
【０００４】
本発明は、このような問題を解決するために成されたものである。すなわち、
ユーザが、抽出された全楽曲に関する包括的な特徴を容易に把握することができないという問題を解決することを目的とする。
【課題を解決するための手段】
【０００５】
上記した課題を解決するために、本発明では、抽出条件に一致する楽曲を抽出した場合に、抽出された楽曲について集計した集計結果（楽曲の数／アルバムの数／アーティストの数）を表示部に表示させるようにしている。また、集計結果をアイコンによって表示するようにもしている。
【発明の効果】
【０００６】
これにより、ユーザは、楽曲を抽出したときに、抽出後に特別の操作（例えば、抽出された楽曲の一つひとつを確認するための操作）をすることなく、表示部にて、抽出された全楽曲についての集計結果を確認することができる。したがって、ユーザは、楽曲を抽出したときに、抽出された全楽曲に関する包括的な特徴を容易に把握することができる。特に、集計結果を視認性の高い上記アイコンによって確認する場合、抽出された全楽曲に関する包括的な特徴をより容易に（一見して）把握することができる。
【発明を実施するための最良の形態】
【０００７】
以下、本発明の一実施形態を図面に基づいて説明する。図１は、本実施形態の集計結果表示装置を適用したオーディオ装置１０の構成例を示す図である。図２は、図１に示す表示画面記憶部２３０に記憶される画面の一例を示す図である。図３は、図１に示すアイコン記憶部２４０に記憶される情報の一例を示す図である。図４は、図１に示すＲＡＭ３００に記憶される抽出属性情報の一例を示す図である。図1に示すように、オーディオ装置１０は、ＣＰＵ１００、ハードディスク２００、ＲＡＭ３００、媒体読取部（非図示）、表示部４００、スピーカ４１０を備えて構成される。
【０００８】
ＣＰＵ１００は、その機能構成として、データ読取部１１０、録音制御部１２０、楽曲抽出部１３０、集計部１４０、表示制御部１５０、再生部１６０および入力情報取得部１７０を備える。ハードディスク２００は、その機能構成として、属性情報記憶部２１０、楽曲データ記憶部２２０、表示画面記憶部２３０およびアイコン記憶部２４０を有する。なお、ＣＰＵ１００の機能のうち、集計結果表示装置の機能は、集計部１４０および表示制御部１５０に相当する。
【０００９】
データ取得部１１０は、入力情報取得部１７０から楽曲記憶媒体２０（例えば、ＣＤ）に収録された楽曲を取得すべき旨の要求を受け付ける。なお、入力情報取得部１７０は、表示部４００に表示された画面（非図示）を介してユーザから楽曲の取得を要求する入力情報を取得した場合に、データ取得部１１０に上記要求を通知する。
【００１０】
データ取得部１１０は、入力情報取得部１７０から上記要求を受け付けたときは、媒体読取部を介して楽曲記憶媒体２０から、楽曲の音声データ（以下、「楽曲データ」という）、および、その楽曲の付随情報であるＴＯＣ（Table Of Contents）情報を取得し、録音制御部１２０に供給する。
【００１１】
録音制御部１２０は、データ取得部１１０から楽曲データおよびＴＯＣ情報を取得したときは、取得した楽曲データを楽曲データ記憶部２２０に記憶するとともに、各楽曲の有する属性情報（楽曲データを一意に識別する情報を有し、楽曲の楽曲名、アーティスト名、アルバム名、ジャンルなどの複数の項目から構成される情報）を属性情報記憶部２１０に記憶する。なお、録音制御部１２０は、データ取得部１１０から取得したＴＯＣ情報に基づいてＣＤＤＢ（CD DataBase。非図示）から属性情報を取得し、属性情報記憶部２１０に記憶する。
【００１２】
楽曲抽出部１３０は、楽曲データ記憶部２２０に記憶された楽曲の中から楽曲を抽出すべき旨の要求および抽出条件を入力情報取得部１７０から受け付ける。より詳細には、楽曲抽出部１３０は、入力情報取得部１７０から、属性情報を構成する複数の項目のうち一以上の項目の値を抽出条件として受け付ける。なお、入力情報取得部１７０は、表示部４００に表示された画面（非図示）を介してユーザから楽曲の抽出要求および抽出条件を入力情報として取得した場合に、楽曲抽出部１３０に上記要求と抽出条件とを通知する。
【００１３】
楽曲抽出部１３０は、入力情報取得部１７０から受け付けた抽出条件により、楽曲データ記憶部２２０に記憶された楽曲データに対応して属性情報記憶部２１０に属性情報が記憶された楽曲の中から楽曲を抽出する。具体的には、楽曲抽出部１３０は、入力情報取得部１７０から上記要求および抽出条件を受け付けた場合に、属性情報記憶部２１０に記憶された属性情報を参照して、楽曲データ記憶部２２０に楽曲データが記憶された楽曲の中から抽出条件として受けつけた項目の値が一致する楽曲を抽出する。楽曲抽出部１３０は、抽出した各楽曲の属性情報を属性情報記憶部２１０から読み出してＲＡＭ３００に記憶する。以下、楽曲抽出部１３０によってＲＡＭ３００に記憶された各楽曲の属性情報を抽出属性情報という。ここで、抽出属性情報は、例えば、図４に示すように、各楽曲の属性情報を構成する複数の項目（楽曲名、アーティスト名、アルバム名など）に加え、各楽曲データの楽曲データ記憶部２２０における記憶アドレスなどから構成される。なお、楽曲抽出部１３０は、ＲＡＭ３００に抽出属性情報を記憶するとともに、楽曲を抽出した旨を集計部１４０に通知する。
【００１４】
集計部１４０は、抽出条件により抽出された楽曲、すなわち、楽曲抽出部１３０により抽出された楽曲について集計する。具体的には、集計部１４０は、楽曲抽出部１３０から楽曲を抽出した旨の通知があった場合に、楽曲抽出部１３０により抽出された楽曲の数、楽曲抽出部１３０により抽出された１または２以上の上記楽曲の収録元となったアルバムの数、および、楽曲抽出部１３０により抽出された１または２以上の上記楽曲のアーティストの数のうち１以上の数を集計する。
【００１５】
より詳しくは、集計部１４０は、ＲＡＭ３００上に何曲分の抽出属性情報が記憶されているかを参照することにより、楽曲抽出部１３０により抽出された楽曲の数を集計する。また、集計部１４０は、抽出属性情報を構成する複数の項目のうちアルバム名の項目の値を参照することにより、楽曲抽出部１３０により抽出された１または２以上の上記楽曲の収録元となったアルバムの数を集計する。また、集計部１４０は、抽出属性情報を構成する複数の項目のうちアーティスト名の項目の値を参照することにより、楽曲抽出部１３０により抽出された１または２以上の上記楽曲のアーティストの数を集計する。なお、集計部１４０は、集計の結果である集計結果（楽曲の数、アルバムの数、アーティストの数）を表示制御部１５０に供給する。
【００１６】
アイコン記憶部２４０は、表示部４００に表示されるアイコンを記憶する。具体的には、アイコン記憶部２４０は、図３（ａ）に示すように、楽曲である旨を示す図柄と楽曲の数を示す文字とから構成されるアイコン（以下、「楽曲数アイコン」という。）を楽曲の数に対応付けて記憶し、図３（ｂ）に示すように、アルバムである旨を示す図柄とアルバムの数を示す文字とから構成されるアイコン（以下、「アルバム数アイコン」という）をアルバムの数に対応付けて記憶し、図３（ｃ）に示すように、アーティストである旨を示す図柄とアーティストの数を示す文字とから構成されるアイコン（以下、「アーティスト数アイコン」という）をアーティストの数に対応付けて記憶する。
【００１７】
表示画面記憶部２３０は、表示部４００に表示される入出力画面の画像データを記憶する。具体的には、表示画面記憶部２３０は、例えば、図２（ａ）に示すメイン画面５００、図２（ｂ）に示すサブ画面６００などを記憶する。
【００１８】
メイン画面５００は、楽曲抽出部１３０により抽出された楽曲のうち再生中の楽曲、または、楽曲を再生していない場合において楽曲データを再生すべき旨の要求を受け付けた場合に最初に再生される楽曲（以下、「現在の楽曲」という。）の楽曲名を表示する楽曲名表示領域５１０、現在の楽曲の収録元となったアルバム名を表示するアルバム名表示領域５１２、現在の楽曲のアーティスト名を表示するアーティスト名表示領域５１４、集計部１４０による集計結果である楽曲の数を表示する楽曲数表示領域５２０、集計部１４０による集計結果であるアルバムの数を表示するアルバム数表示領域５２２、集計部１４０による集計結果であるアーティストの数を表示するアーティスト数表示領域５２４、現在の楽曲の楽曲名を表示する楽曲名表示領域５３０ａ、現在の楽曲に続いて再生される楽曲の楽曲名を表示する楽曲名表示領域５３０ｂ、さらに続いて再生される楽曲の楽曲名を表示する楽曲名表示領域５３０ｃを有する。
【００１９】
サブ画面６００は、楽曲抽出部１３０により抽出された楽曲の一覧、楽曲抽出部１３０により抽出された楽曲の収録元となったアルバムの一覧、または、楽曲抽出部１３０により抽出された楽曲のアーティストの一覧を表示する一覧表示領域６１０を有する。
【００２０】
なお、表示画面記憶部２３０は、上記のメイン画面５００およびサブ画面６００の画像データに加え、楽曲の取得要求、楽曲の抽出要求および抽出条件、楽曲の再生要求をユーザから受け付ける入出力画面などの画像データを記憶する。
【００２１】
表示制御部１５０は、集計部１４０による集計結果を表示部４００に表示させる。具体的には、表示制御部１５０は、集計部１４０から楽曲の数を取得した場合に、楽曲の数をメイン画面５００の楽曲数表示領域５２０に出力することにより、集計結果である楽曲の数を表示部４００に表示させる。
【００２２】
同様に、表示制御部１５０は、集計部１４０からアルバムの数を取得した場合に、アルバムの数をメイン画面５００のアルバム数表示領域５２２に出力することにより、集計結果であるアルバムの数を表示部４００に表示させる。
【００２３】
同様に、表示制御部１５０は、集計部１４０からアーティストの数を取得した場合に、アーティストの数をメイン画面５００のアーティスト数表示領域５２４に出力することにより、集計結果であるアーティストの数を表示部４００に表示させる。
【００２４】
また、表示制御部１５０は、集計部１４０から楽曲の数を取得した場合に、楽曲の数に代えて、当該楽曲の数に対応付けてアイコン記憶部２４０に記憶されている楽曲数アイコンを集計結果としてメイン画面５００の楽曲数表示領域５２０に出力し、表示部４００に表示させてもよい。アルバムの数、アルバムの数を取得した場合も同様である。
【００２５】
さらに、表示制御部１５０は、楽曲数アイコンを表示部４００に表示させている場合に、入力情報取得部１７０から楽曲数アイコンが押下された旨の通知を受け付ける。表示制御部１５０は、楽曲数アイコンが押下された旨の通知を受け付けたときは、楽曲抽出部１３０により抽出された楽曲、すなわち、抽出属性情報によって識別される楽曲の一覧を表示部４００に表示させてもよい。具体的には、表示制御部１５０は、楽曲数アイコンが押下された旨の通知を受け付けたときは、抽出属性情報によって識別される楽曲の一覧をサブ画面６００の一覧表示領域６１０に出力することにより、楽曲抽出部１３０により抽出された楽曲の一覧を表示部４００に表示させる。
【００２６】
同様に、表示制御部１５０は、アルバム数アイコンを表示部４００に表示させている場合に、入力情報取得部１７０からアルバム数アイコンが押下された旨の通知を受け付ける。表示制御部１５０は、アルバム数アイコンが押下された旨の通知を受け付けたときは、楽曲抽出部１３０により抽出された楽曲、すなわち、抽出属性情報によって識別される楽曲の収録元となったアルバムの一覧を表示部４００に表示させてもよい。具体的には、表示制御部１５０は、アルバム数アイコンが押下された旨の通知を受け付けたときは、抽出属性情報によって識別される楽曲の収録元となったアルバムの一覧をサブ画面６００の一覧表示領域６１０に出力することにより、楽曲抽出部１３０により抽出された楽曲の収録元となったアルバムの一覧を表示部４００に表示させる。
【００２７】
同様に、表示制御部１５０は、アーティスト数アイコンを表示部４００に表示させている場合に、入力情報取得部１７０からアーティスト数アイコンが押下された旨の通知を受け付ける。表示制御部１５０は、アーティスト数アイコンが押下された旨の通知を受け付けたときは、楽曲抽出部１３０により抽出された楽曲、すなわち、抽出属性情報によって識別される楽曲のアーティストの一覧を表示部４００に表示させてもよい。具体的には、表示制御部１５０は、アーティスト数アイコンが押下された旨の通知を受け付けたときは、抽出属性情報によって識別される楽曲のアーティストの一覧をサブ画面６００の一覧表示領域６１０に出力することにより、楽曲抽出部１３０により抽出された楽曲のアーティストの一覧を表示部４００に表示させる。
【００２８】
再生部１６０は、入力情報取得部１７０から楽曲データを再生すべき旨の要求を受け付ける。なお、入力情報取得部１７０は、表示部４００に表示された画面（非図示）を介してユーザから楽曲データの再生を要求する入力情報を取得した場合に、再生部１６０に上記要求を通知する。再生部１６０は、入力情報取得部１７０から上記要求を受け付けたときは、楽曲データ記憶部２２０から楽曲データを読み出して、スピーカ４１０に供給することにより楽曲を再生させる。
【００２９】
以下、上記のように構成したオーディオ装置１０の動作について説明する。図５は、図１に示すオーディオ装置１０の動作の一例を示すフローチャートである。図６および図７は、図１に示す表示部４００に表示される画面の一例を示す図である。なお、本フローチャートの開始時において、楽曲データ記憶部２２０には十分な数の楽曲が記憶され、表示画面記憶部２３０は図２に示す画面の画像データを記憶し、アイコン記憶部２４０は図３に示す情報を記憶しているものとする。
【００３０】
図５において、楽曲抽出部１３０は、楽曲データ記憶部２２０に楽曲データが記憶された楽曲の中から楽曲を抽出すべき旨の要求および抽出条件を入力情報取得部１７０から受け付けたか否かを判断する（ステップＳ１０）。
【００３１】
楽曲を抽出すべき旨の要求および抽出条件を入力情報取得部１７０から受け付けたと楽曲抽出部１３０にて判断した場合には（ステップＳ１０：Ｙｅｓ）、楽曲抽出部１３０は、属性情報記憶部２１０を参照して、楽曲データ記憶部２２０に楽曲データが記憶された楽曲の中から抽出条件により楽曲を抽出する（ステップＳ１５）。そして、楽曲抽出部１３０は、抽出した各楽曲の属性情報を属性情報記憶部２１０から読み出して、ＲＡＭ３００に記憶する。以下、楽曲抽出部１３０は、図４に示す属性情報（抽出属性情報）をＲＡＭ３００に記憶したものとして説明する。また、楽曲抽出部１３０は、楽曲を抽出した旨を集計部１４０に通知する。
【００３２】
集計部１４０は、図４に示す抽出属性情報を参照することにより楽曲の数「２０」を集計し、抽出属性情報を構成するアルバム名の項目の値を参照することにより収録元となったアルバムの数「５」を集計し、抽出属性情報を構成するアーティスト名の項目の値を参照することによりアーティストの数「２」を集計する（ステップＳ２０）。そして、集計部１４０は、楽曲の数「２０」、アルバムの数「５」およびアーティストの数「２」を表示制御部１５０に供給する。
【００３３】
表示制御部１５０は、図６に示すように、表示画面記憶部２３０に記憶されたメイン画面５００を表示部４００に表示させるとともに、メイン画面５００の楽曲数表示領域５２０に楽曲の数「２０」に対応付けてアイコン記憶部２４０に記憶されている楽曲数アイコンを出力し、メイン画面５００のアルバム数表示領域５２２にアルバムの数「５」に対応付けてアイコン記憶部２４０に記憶されているアルバム数アイコンを出力し、メイン画面５００のアーティスト数表示領域５２４にアーティストの数「２」に対応付けてアイコン記憶部２４０に記憶されているアーティスト数アイコンを出力する（ステップＳ２５）。
【００３４】
なお、表示制御部１５０は、図６に示すように、楽曲数アイコン、アルバム数アイコン、アーティスト数アイコンに加えて、楽曲名表示領域５１０に現在の楽曲の楽曲名「楽曲Ｋ００１」を出力し、アルバム名表示領域５１２にその収録元となったアルバム名を出力し、アーティスト名表示領域５１４にそのアーティスト名を出力し、現在の楽曲の楽曲名「楽曲Ｋ００１」を楽曲名表示領域５３０ａに出力し、現在の楽曲に続いて再生される楽曲の楽曲名「楽曲Ｋ００２」を楽曲名表示領域５３０ｂに出力し、さらに続いて再生される楽曲の楽曲名「楽曲Ｋ００３」を楽曲名表示領域５３０ｃに出力する。
【００３５】
次に、表示制御部１５０は、楽曲数アイコン、アルバム数アイコンまたはアーティスト数アイコンが押下された旨の通知を入力情報取得部１７０から受け付けたか否かを判断する（ステップＳ３０）。
【００３６】
楽曲数アイコン、アルバム数アイコンまたはアーティスト数アイコンが押下された旨の通知を入力情報取得部１７０から受け付けたと表示制御部１５０にて判断した場合には（ステップＳ３０：Ｙｅｓ）、表示制御部１５０は、表示画面記憶部２３０に記憶されたサブ画面６００を表示部４００に表示させるとともに、押下されたアイコンに対応する一覧をサブ画面６００に出力する（ステップＳ３５）。
【００３７】
具体的には、楽曲数アイコンが押下された旨の通知を受け付けたと表示制御部１５０にて判断した場合には、表示制御部１５０は、図７（ａ）に示すように、ステップＳ１５において抽出された楽曲の一覧をサブ画面６００の一覧表示領域６１０に出力する。そして本フローチャートは終了する。
【００３８】
また、アルバム数アイコンが押下された旨の通知を受け付けたと表示制御部１５０にて判断した場合には、表示制御部１５０は、図７（ｂ）に示すように、ステップＳ１５において抽出された楽曲の収録元となったアルバムの一覧をサブ画面６００の一覧表示領域６１０に出力する。そして本フローチャートは終了する。なお、この場合、表示制御部１５０は、ステップＳ１５において抽出された楽曲の収録元のアルバム別の楽曲の数を、一覧として表示された各アルバム名に対応付けて一覧表示領域６１０に出力してもよい。例えば、表示制御部１５０は、図７（ｂ）に示すように、ステップＳ１５において抽出された楽曲のうち、アルバム名「アルバムＡ００１」に収録された楽曲（曲名「Ｋ００１」「Ｋ００２」「Ｋ００３」）の数「３（曲）」を、一覧表示領域６１０においてアルバム名「アルバムＡ００１」の右側に出力する。
【００３９】
また、アーティスト数アイコンが押下された旨の通知を受け付けたと表示制御部１５０にて判断した場合には、表示制御部１５０は、図７（ｃ）に示すように、ステップＳ１５において抽出された楽曲のアーティストの一覧をサブ画面６００の一覧表示領域６１０に出力する。そして本フローチャートは終了する。なお、この場合、表示制御部１５０は、ステップＳ１５において抽出された楽曲のアーティスト別の楽曲の数を、一覧として表示された各アーティスト名に対応付けて一覧表示領域６１０に出力してもよい。例えば、表示制御部１５０は、図７（ｃ）に示すように、ステップＳ１５において抽出された楽曲のうち、アーティスト名「アーティストａ００１」の楽曲（曲名「Ｋ００１」「Ｋ００２」・・・「Ｋ０１２」）の数「１２（曲）」を、一覧表示領域６１０においてアーティスト名「アーティストａ００１」の右側に出力する。
【００４０】
一方、楽曲を抽出すべき旨の要求および抽出条件を入力情報取得部１７０から受け付けていないと楽曲抽出部１３０にて判断した場合には（ステップＳ１０：Ｎｏ）、ステップＳ１５、Ｓ２０、Ｓ２５、Ｓ３０、Ｓ３５を飛ばして本フローチャートは終了する。また、楽曲数アイコン、アルバム数アイコンまたはアーティスト数アイコンが押下された旨の通知を入力情報取得部１７０から受け付けていないと表示制御部１５０にて判断した場合には（ステップＳ３０：Ｎｏ）、ステップＳ３５を飛ばして本フローチャートは終了する。
【００４１】
以上、本実施形態によれば、ユーザは、楽曲を抽出したときに、抽出後に特別の操作（例えば、抽出された楽曲の一つひとつを確認するための操作）をすることなく、表示部４００にて、抽出された全楽曲についての集計結果（楽曲の数／アルバムの数／アーティストの数）を確認することができる。したがって、ユーザは、楽曲を抽出したときに、抽出された全楽曲に関する包括的な特徴を容易に把握することができる。特に、集計結果を視認性の高いアイコン（楽曲数アイコン／アルバム数アイコン／アーティスト数アイコン）によって確認する場合、抽出された全楽曲に関する包括的な特徴をより容易に（一見して）把握することができる。
【００４２】
なお、ＣＰＵ１００の機能のうち、集計結果表示装置の機能は、集計部１４０および表示制御部１５０に相当すると説明したが、ＣＰＵ１００の他の機能も集計結果表示装置の機能であってもよい。すなわち、集計結果表示装置は、集計部１４０および表示制御部１５０に加えて、楽曲抽出部１３０の機能を備えていてもよい。なお、ＣＰＵ１００以外の機能として、集計結果表示装置は、アイコン記憶部２４０、表示部４００などを備えることを要しないが、備えることを妨げない。
【００４３】
さらに、集計結果表示装置は、オーディオ装置１０の一部を構成するものとして説明したが、構成の態様はこれに限定されない。例えば、集計結果表示装置は、オーディオ装置（非図示）と別体であってもよい。
【００４４】
なお、上記実施形態は、何れも本発明を実施するにあたっての具体化の一例を示したものに過ぎず、これによって本発明の技術的範囲が限定的に解釈されてはならないものである。すなわち、本発明はその精神、またはその主要な特徴から逸脱することなく、様々な形で実施することができる。
【図面の簡単な説明】
【００４５】
【図１】本実施形態の集計結果表示装置を適用したオーディオ装置の構成例を示す図である。
【図２】図１に示す表示画面記憶部に記憶される画面の一例を示す図である。
【図３】図１に示すアイコン記憶部に記憶される情報の一例を示す図である。
【図４】図１に示すＲＡＭに記憶される抽出属性情報の一例を示す図である。
【図５】図１に示すオーディオ装置の動作の一例を示すフローチャートである。
【図６】図１に示す表示部に表示される画面の一例を示す図である。
【図７】図１に示す表示部に表示される画面の一例を示す図である。
【符号の説明】
【００４６】
１０  オーディオ装置
２０  楽曲記憶媒体
１３０  楽曲抽出部
１４０  集計部
１５０  表示制御部
４００  表示部
５２０  楽曲数表示領域
５２２  アルバム数表示領域
５２４  アーティスト数表示領域
６１０  一覧表示領域
【図１】
2008304633.tif 000003
【図２】
2008304633.tif 000004
【図３】
2008304633.tif 000005
【図４】
2008304633.tif 000006
【図５】
2008304633.tif 000007
【図６】
2008304633.tif 000008
【図７】
2008304633.tif 000009